(57)【特許請求の範囲】
【請求項１】
外気との熱交換を行う熱交換器と、前記熱交換器の熱交換を促進させる気流を生成するためのファンと、前記ファンを駆動させるモータと、前記ファン及び前記モータを内部に配置した筐体と、前記筐体内に架設された支持部材と、を備え、
前記支持部材は、気流の方向に形成された基板部と、
前記基板部の下流側から気流の方向に対向して延出された支持板部と、
前記基板部の上流側から気流の方向に対向して延出されると共に、前記支持板部の延出量よりも小さい延出量の対向板部と、を有し、
前記支持部材は、１枚の板金で前記基板部、前記支持板部及び前記対向板部が形成され、断面形状が略Ｕ字状に形成されると共に、前記対向板部の上流側端部を上流側方向に折り曲げて延出して形成された上流側整流板部を有していることを特徴とする空気調和機の室外機。
【請求項２】
外気との熱交換を行う熱交換器と、前記熱交換器の熱交換を促進させる気流を生成するためのファンと、前記ファンを駆動させるモータと、前記ファン及び前記モータを内部に配置した筐体と、前記筐体内に架設された支持部材と、を備え、
前記支持部材は、気流の方向に形成された基板部と、
前記基板部の下流側から気流の方向に対向して延出された支持板部と、
前記基板部の上流側から気流の方向に対向して延出されると共に、前記支持板部の延出量よりも小さい延出量の対向板部と、を有し、
前記支持部材は、１枚の板金で前記基板部、前記支持板部及び前記対向板部が形成され、断面形状が略Ｕ字状に形成されると共に、前記支持板部から下流方向に折り曲げられた下流側整流板部を有していることを特徴とする空気調和機の室外機。
【請求項３】
前記支持部材は、前記上流側整流板部の上流側端部を下流側方向に折り曲げて形成されたＲ部と、
前記Ｒ部から下流方向に折り返して形成された折返板部と、を有していることを特徴とする請求項１に記載の空気調和機の室外機。
【請求項４】
前記支持部材は、前記上流側整流板部の上流側端部を前記対向板部に沿うように折り曲げて延出して形成された上流側対向板部を有し、
前記上流側対向板部の延出量は、前記支持板部の延出量、及び、前記対向板部の延出量よりも小さいことを特徴とする請求項１に記載の空気調和機の室外機。
【請求項５】
前記支持部材は、１枚の金属板を折曲形成して、前記支持板部及び前記対向板部が前記基板部から延出するように形成されていることを特徴とする請求項１ないし請求項４のいずれか１項に記載の空気調和機の室外機。
【請求項６】
前記支持部材は、前記支持板部上に前記モータを載設して下側から支持する複数の部材からなることを特徴とする請求項１ないし請求項４のいずれか１項に記載の空気調和機の室外機。
【発明の詳細な説明】
【技術分野】
【０００１】
本発明は、空気調和機の室外機に関する。
【背景技術】
【０００２】
従来、空気調和装置としては、１つまたは複数の室外機に対し、複数の室内機が接続されているビル用マルチ空気調和装置がある。ビル用マルチ空気調和装置には、一般的に、ビルの屋上に設置された室外機と、ビルの各部屋に設置された室内機と、を管で連結して、冷媒を循環させる冷媒回路が形成されている。
【０００３】
従来の空気調和装置の室外機は、直方体の形状に形成されて、室外機内の側面や後面に熱交換器が設けられ、室外機の内底に圧縮機や他の構成部品が設けられている。そして、室外機内の上部には、ファンと、このファンを駆動するためのモータと、モータを支持する支持部材（モータ支持部材）と、が設けられている。
【０００４】
このような形態の室外機のモータは、筐体の内壁に架設された支持部材（支持板）上に載設されている（例えば、特許文献１参照）。特許文献１に記載されている支持部材は、ファンに対して、筐体内の下方に配置されている。ファンは、モータが駆動することにより、外気を熱交換器を介して筐体内に吸入して、ファンの下方から上方へ向かって送風する。支持部材は、空気の流れに対して、対向するように配置されている。
【０００５】
従来の室外機において、支持部材は、重量物であるモータを支えるために、縦断面形状が略凹形状に折曲形成されて補強されている。この支持部材の水平な平板部の前後には、風が通り抜ける四角形の開口部が形成されている。
【先行技術文献】
【特許文献】
【０００６】
【特許文献１】特開２０１４−２１１１４３号公報
【発明の概要】
【発明が解決しようとする課題】
【０００７】
しかし、特許文献１に記載されている室外機の支持部材は、下方からの空気の流れに対して対向して配置されているので、ファンで送風を行うときに空気抵抗となるという問題点があった。そのため、支持部材は、ファンの駆動に大きな入力電流が必要となり、ファンの性能を低下させる要因になっていた。
【０００８】
そこで、本発明は、上記問題に対して、支持部材の空気抵抗を少なくして、ファン性能を向上させた空気調和機の室外機を提供することを課題としている。
【課題を解決するための手段】
【０００９】
上記課題を解決するために、本発明に係る空気調和機の室外機は、外気との熱交換を行う熱交換器と、前記熱交換器の熱交換を促進させる気流を生成するためのファンと、前記ファンを駆動させるモータと、前記ファン及び前記モータを内部に配置した筐体と、前記筐体内に架設された支持部材と、を備え、前記支持部材は、気流の方向に形成された基板部と、前記基板部の下流側から気流の方向に対向して延出された支持板部と、前記基板部の上流側から気流の方向に対向して延出されると共に、前記支持板部の延出量よりも小さい延出量の対向板部と、を有し、前記支持部材は、１枚の板金で前記基板部、前記支持板部及び前記対向板部が形成され、断面形状が略Ｕ字状に形成されると共に、前記対向板部の上流側端部を上流側方向に折り曲げて延出して形成された上流側整流板部を有していることを特徴とする。
また、本発明に係る空気調和機の室外機は、外気との熱交換を行う熱交換器と、前記熱交換器の熱交換を促進させる気流を生成するためのファンと、前記ファンを駆動させるモータと、前記ファン及び前記モータを内部に配置した筐体と、前記筐体内に架設された支持部材と、を備え、前記支持部材は、気流の方向に形成された基板部と、前記基板部の下流側から気流の方向に対向して延出された支持板部と、前記基板部の上流側から気流の方向に対向して延出されると共に、前記支持板部の延出量よりも小さい延出量の対向板部と、を有し、前記支持部材は、１枚の板金で前記基板部、前記支持板部及び前記対向板部が形成され、断面形状が略Ｕ字状に形成されると共に、前記支持板部から下流方向に折り曲げられた下流側整流板部を有していることを特徴とする。
【発明の効果】
【００１０】
本発明に係る空気調和装置の室外機は、筐体内に配置される支持部材の形状を変更して空気抵抗を減らすことで、ファンの駆動のための入力電流を低減してファンの性能を向上させることができる。
【図面の簡単な説明】
【００１１】
【図１】本発明の実施形態に係る空気調和機の室外機の構成を示す一部断面を有する概略正面図である。
【図２】本発明の実施形態に係る空気調和機の室外機の構成を示す一部断面を有する概略側面図である。
【図３】本発明の実施形態に係る空気調和機の室外機の構成を示す一部断面を有する概略平面図である。
【図４】モータを支持する支持部材を示す斜視図である。
【図５】図４のＩ−Ｉ拡大断面図である。
【図６】支持部材の第１変形例を示す拡大縦断面図である。
【図７】支持部材の第２変形例を示す拡大縦断面図である。
【図８】支持部材の第３変形例を示す拡大縦断面図である。
【図９】支持部材の第４変形例を示す拡大縦断面図である。
【図１０】支持部材の第５変形例を示す拡大縦断面図である。
【図１１】支持部材の第６変形例を示す拡大縦断面図である。
【図１２】支持部材の第７変形例を示す拡大縦断面図である。
【発明を実施するための形態】
【００１２】
次に、図１〜図５を参照して本発明の実施形態に係る空気調和機の室外機を説明する。
以下、各実施形態の図、及び、後記する第１〜第７変形例における符号は、同一のものを示す場合、同じ符号を付記してその説明を省略する。
空気調和機の室外機１は、ファン４と、ファン４を回転駆動させるモータ５と、ファン４によって生成された気流の風路に架設するように配置された支持部材６と、を備えたものであれば、構造等は特に限定されない。また、支持部材６は、筐体７内の風路に配置されたものであれば、支持部材６が支持する物は、ステー等の室外機１の構成部材でも、モータ５等の機器であってもよく、特に限定されない。
【００１３】
以下、本発明の実施形態の一例として、上向きに配置したファン４を、支持部材６に支持されたモータ５で駆動させて上方向に向かって風を送り出す空気調和機の室外機１を例に挙げて説明する。なお、便宜上、図１に示す室外機１の上側を下流側、下側を上流側として説明する。
【００１４】
＜空気調和機＞
空気調和機は、図１に示す室外に配置される室外機１と、この室外機１に配管によって接続されて、室内に配置される室内機（図示省略）と、から構成されている。室外機１は、空気調和機の冷凍サイクルにおいて、圧縮機３と、四方弁（図示省略）と、室外用の熱交換器２と、ファン４とモータ５とを備えてなる室外用の送風機４０と、膨張弁（図示省略）と、を備えている。
【００１５】
＜室外機＞
室外機１は、ビル用マルチ空気調和装置の室外ユニットである。室外機１は、外気との熱交換を行う熱交換器２と、熱交換器２の熱交換を促進させる気流を生成するためのファン４と、ファン４を駆動させるモータ５と、モータ５を支持する支持部材６と、支持部材６が架設された筐体７と、を備えている。室外機１は、ファン４がモータ５によって回転されることにより、室外機１の外の外気を吸引して熱交換器２で熱交換を行って、大気中に排出する。室外機１の内部の空気は、ファン４の回転によって流動して、熱交換器２の左右前側の三面から室外機１内に吸引されて、上側開口部から上方向（矢印ａ方向）へと流れる。
【００１６】
＜筐体＞
図３に示すように、筐体７は、室外機１の本体ケースであり、例えば、内部が中空の略直方体の形状に形成されている。筐体７は、筐体７の下面に設けられた底板７１と、底板７１上の前端部に立設された前板７２と、底板７１の左右端部に立設された側板７３，７４と、底板７１の後端部に立設された後板７５と、を有して、平面視して矩形に形成されている。筐体７の上部には、送風機４０で生成された気流が外部に排出される開口部（図示省略）を有するベルマウス兼シュラウド７８が設けられている。
【００１７】
底板７１上には、圧縮機３と、電気箱と、が載設されている（図１参照）。
前板７２の内壁には、前側ステー７６が左右方向に向けて設けられている。
左右の側板７３，７４及び後板７５には、外気を送風機４０によって吸引して取り入れるための吸入口（図示省略）が多数形成されている。側板７３，７４及び後板７５の内壁側には、熱交換器２が設けられている。
後板７５の内壁の上部には、後側ステー７７が左右方向に向けて設けられている。
前側ステー７６と後側ステー７７との間には、平面視して、一対の支持部材６が適宜な間隔を介して平行に架設されている。
【００１８】
＜送風機＞
図１に示すように、送風機４０は、側板７３，７４及び後板７５の吸引口（図示省略）から吸入した外気を、熱交換器２を介して上方のベルマウス兼シュラウド７８の開口部（図示省略）から外部に噴き戻すための装置である。送風機４０は、上方向に突出したモータ軸５１（図４参照）を有するモータ５と、モータ軸５１の先端部に連結されたファン４と、を備えて構成されている。送風機４０は、室外機１の上部のベルマウス兼シュラウド７８内に配置されている。
【００１９】
＜モータ＞
図３に示すように、モータ５は、ファン４を回転駆動させるための電動機である。モータ５は、前側ステー７６と後側ステー７７との間に架設された左右一対の支持部材６上の中央部に載設されることによって、筐体７内の上部に配置されている。図４に示すように、モータ５は、前記モータ軸５１と、モータ軸５１を上方向に突出した状態に配置したモータケース５２と、モータケース５２の外周部下端部から左右方向に向けてそれぞれ突出形成された一対のモータブラケット５３と、を備えている。
【００２０】
モータ軸５１には、ファン４のボス部が挿入されると共に、先端にファン４をモータ軸５１に固定するためのファン固定ナット５４（図１参照）が螺合されている。
モータケース５２は、略円筒形状のケース体からなる。モータケース５２には、モータケース５２を左右一対の支持部材６上間に架設するためのモータブラケット５３が一体形成されている。
モータブラケット５３は、モータケース５２の外周部下端の左右の前後端部から左右方向に延出された４本の平板状（略帯状）の部材からなる。各モータブラケット５３の前端部には、ブラケット固定ねじ５５が挿入されるねじ挿入孔５３ａが形成されている。
【００２１】
＜ファン＞
ファン４は、例えば、モータ５の回転軸が連結された軸流式プロペラファンからなる。
ファン４は、中央部に形成された筒状のファンボス部と、ファンボス部の外周面に突出形成された羽根部と、を樹脂で一体成形してなる。
【００２２】
＜熱交換器、圧縮機＞
図２に示すように、熱交換器２は、筐体７内の側面を形成する側板７３，７４や、後面を形成する後板７５に設けられている。
図１に示すように、圧縮機３は、筐体７の底板７１上に載設されている。
【００２３】
＜支持部材＞
図５に示すように、支持部材６は、筐体７（図１及び図２参照）内の上部に前後方向に向けて延設されて、モータ５を下側から保持する左右一対のモータクランプである。支持部材６は、気流の方向に形成された基板部６０と、基板部６０の下流側端部の曲げ部６ａを折り曲げて形成された支持板部６２と、基板部６０の上流側端部の曲げ部６ｂを折り曲げて形成された対向板部６３と、基板部６０の前後端部を折り曲げて形成された蓋板部６１と、を有している。
【００２４】
支持部材６の両端部は、筐体７内において、前板７２の内壁から後壁の内壁まで延在して、筐体７の内壁にねじ止められている。支持部材６は、重量物であるモータ５を支持する支持強度を向上させるために、１枚の金属板の２つの曲げ部６ａ，６ｂを折曲形成して、断面形状が略コ字状に形成されている。一対の支持部材６は、ファン４に対してその下方に、基板部６０が左右外側になるように対向配置されている。支持部材６は、例えば、厚さが２．３ｍｍ程度の溶融亜鉛めっき鋼板等の金属板からなる。
【００２５】
曲げ部６ａ，６ｂは、垂直な基板部６０の上下端部を左方向に直角に曲げて、支持板部６２及び対向板部６３を水平に形成するための角の部位である。曲げ部６ａ，６ｂの角には、標準的な大きさのＲが形成されている。
【００２６】
基板部６０は、支持部材６の側面を形成する部位である。基板部６０は、気流方向（上下方向）に沿って配置されて、前後方向に平板状に延設（延出）されている。基板部６０の上下方向の長さは、例えば、約３０ｍｍ程度であって、ブラケット固定ねじ５５のネジ部の長さよりも長く形成されている。
【００２７】
支持板部６２は、モータブラケット５３が載設されて、モータ５を下側から支持する部位であって、支持部材６の上面を形成している。支持板部６２は、基板部６０の下流側から気流の方向（上下方向）に対して対向するように水平に延出して配置されている。支持板部６２には、ねじ挿入孔５３ａに合致する位置に、ブラケット固定ねじ５５（図示省略）が螺合する雌ねじが形成されている。
この支持板部６２と対向板部６３は、基板部６０から延出するように折曲形成されているもので、支持部材６の縦断面が略Ｕ字状（略コ字状）に形成されている。なお、支持板部６２、対向板部６３等の延出部位は、溶接等によるものでもよいし、折曲加工との組み合わせでも、その他の手法で形成したものでもよい。
【００２８】
対向板部６３は、気流が衝突する部位であって、支持部材６の下面を形成している。対向板部６３は、基板部６０の上流側から気流の方向に対して対向するように水平に延出して配置されている。基板部６０から対向板部６３の先端までの長さ（延出量）Ｌ１（例えば、２２〜３２ｍｍ程度）は、基板部６０から支持板部６２の先端までの長さ（延出量）Ｌ２よりも小さく形成されている。換言すると、対向板部６３の面積は、支持板部６２の面積よりも、小さい。なお、面積とは、気流に対する正面投影面積といえる。
【００２９】
蓋板部６１は、正面視して、略コ字状（略Ｕ字状）に折り曲げられた支持部材６の支持板部６２と、対向板部６３との間に配置するように、平面視してＬ字状に折り曲げ形成された矩形の突出片からなる。各蓋板部６１の中央部には、支持部材６を前側ステー７６及び後側ステー７７に固定するための支持部材固定ねじ６８が挿入されるねじ挿入孔６１ａが形成されている。
【００３０】
≪作用≫
次に、図１〜図５を参照して、本発明の実施形態に係る空気調和機の室外機の作用を説明する。
【００３１】
図１に示すように、空気調和機の室外機１は、モータ５が回転駆動すると、モータ軸５１を介してファン４が回転する。すると、ファン４は、室外機１の外周の外気を左右後側の三面から室外機１内に吸引して、熱交換器２で熱交換を行って、ベルマウス兼シュラウド７８の上側開口部から上方向（矢印ａ方向）へと送って大気中に排出する。このため、図３に示すように、ファン４によって筐体７内に吸引された空気（矢印ｂ）は、熱交換器２を流通して冷媒と空気の熱交換を促進させる。
【００３２】
図１に示すように、筐体７内では、下方から上方へ向かって空気が流れるので、支持部材６が空気の流れ（気流）に対向する状態に配置されている。
図５に示すように、縦断面視してコ字状に形成された支持部材６は、室外機１内の気流に対向する対向板部６３の面積（延出量）が、対向板部６３よりも下流側に配置された支持板部６２の面積（延出量）よりも、小さく形成されている。このように支持部材６は、室外機１の内部の気流に対向する面の面積（延出量）が小さく形成されていることによって、対向板部６３に衝突する空気の衝突量を小さくすることができる。
【００３３】
また、支持部材６に対して当たるように下方向から上方向に向かって流れて来る空気は、対向板部６３に衝突し、左右方向に分かれるように変向されて、左右方向に広がるように下流方向に流れる。このため、支持部材６は、下流方向へ流れる空気の流入角度を緩やかにして、支持板部６２を避けるように流すことができる。
【００３４】
また、支持部材６は、下流側の支持板部６２の面積が対向板部６３の面積よりも広く形成されているので、しっかりとモータ５を支持することができる。また、支持部材６は、空気（矢印ｃ，ｄ）を徐々に左右方向に広がるように下流方向に流すことができるので、空気をスムーズに流すことができるため、空気抵抗（抗力係数）を小さくすることができる。また、基板部６０は、垂直方向に形成されていることによって、気流を整流させる機能を果す。
【００３５】
このように支持部材６は、空気抵抗を小さくすることができるので、ファン４を駆動のためのモータ５の入力電流を減少させて、室外機１のファン４の性能を高くすることができる。また、支持部材６は、空気抵抗を低減させたことにより、気流が支持部材６に当たることによって発生する騒音（風の音）を低減させることができる。
【００３６】
また、支持部材６を製造する場合は、まず、１枚の板金を切断して、基板部６０、支持板部６２、対向板部６３及び蓋板部６１を形成する切断工程を行う。次に、支持板部６２に雌ねじ部（図示省略）を形成するねじ形成工程と、蓋板部６１にねじ挿入孔６１ａを形成する穴あけ工程と、を行う。続いて、基板部６０に対して、支持板部６２、対向板部６３及び蓋板部６１を直角に折り曲げる曲げ工程を行うことで、支持部材６を完成させることができる。
【００３７】
このように支持部材６は、１枚の板金を切断して折り曲げることによって、容易にプレス加工して製造することができる。このため、支持部材６は、製造工程及び部品点数が少なく、短時間で製造することができるため、コストダウンを図ることができる。
【００３８】
このようにして形成された支持部材６は、基板部６０の下流側端部及び上流側端部の曲げ部６ａ，６ｂが折り曲げて、縦断面視して略コ字状（略Ｕ字状）に形成されていることによって、基板部６０の上下端部に２つの稜線が形成されている。このため、支持部材６は、上下方向の荷重に対する支持強度が向上されて、送風機４０をしっかりと支持することが可能な強度を確保することができる。
【００３９】
［変形例］
以上、本発明について、実施形態に基づいて説明したが、本発明は、上記実施形態に記載した構成に限定されるものではなく、実施形態に記載した構成を適宜組み合わせ乃至選択することを含め、その趣旨を逸脱しない範囲において適宜その構成を変更することが可能である。
【００４０】
［第１変形例］
図６は、室外機の支持部材の第１変形例を示す拡大縦断面図である。
前記実施形態は、支持部材６（図５参照）の一例として、縦断面視してコ字状のものを例に挙げて説明したが、これに限定されるものではない。図６に示すように、支持部材６Ａは、対向板部６３Ａの上流側端部を上流側方向に折り曲げて形成されて、空気の流れを整流させる機能を果す上流側整流板部６４Ａを有するものであってもよい。
【００４１】
この場合、支持部材６Ａには、対向板部６３Ａの左端部に形成された曲げ部６Ａａを、上流側方向に直角に折り曲げて下側方向に延びる上流側整流板部６４Ａが形成されている。対向板部６３Ａの右端から左端までの長さ（延出量）Ｌ３は、支持板部６２Ａの右端から左端までの長さ（延出量）Ｌ２の約半分程度の長さ（延出量）にする。上流側整流板部６４Ａは、下面視して支持部材６Ａの中央部に配置されている。
【００４２】
したがって、支持部材６Ａの基板部６０Ａ、支持板部６２Ａ、対向板部６３Ａ、及び、上流側整流板部６４Ａは、側面視して全体が逆三角形にイメージした範囲の内側に配置されるように配置されて、下流に流れる気流を徐々に横方向に拡げて、空気抵抗が小さくなるように配置されている。
【００４３】
このように形成された支持部材６Ａに対して流れて来る空気は、上流側整流板部６４Ａの先端面に衝突して変向されて、基板部６０Ａ側（矢印ｅ側）と、支持板部６２Ａの先端側（矢印ｆ側）と、に向かう流れに二分される。二分された空気は、上流方向に延びる上流側整流板部６４Ａにある程度沿った流れとなって、下流方向に流れる。
【００４４】
上流側整流板部６４Ａの先端面で変向された空気は、支持板部６２Ａに対して流入角度が緩やか角度となって流れるので、支持板部６２Ａに衝突する衝突量が減少させるように流れる。
【００４５】
また、上流側整流板部６４Ａの先端面で変向された空気の流れ（矢印ｅ，ｆ）は、基板部６０Ａに沿って下流側に流れる流れとなる。そのため、支持部材６Ａの各面（上流側整流板部６４Ａ、対向板部６３Ａ、基板部６０Ａ及び支持板部６２Ａ）に対し衝突する空気の衝突量は、実施形態の支持部材６よりも少なく、騒音及び空気抵抗（抗力係数）が小さいため、空気が流れ易くなっている。その結果、送風機４０を駆動させるための入力電流を低減させることができる。
【００４６】
［第２変形例］
図７は、モータを支持する支持部材の第２変形例を示す拡大縦断面図である。
図７に示すように、支持部材６Ｂは、上流側整流板部６４Ｂの上流側端部を下流側方向に折り曲げて形成されたＲ部ｒ１と、Ｒ部ｒ１から下流方向に折り畳むようにして形成された折返板部６５Ｂと、を有するものであってもよい。
【００４７】
この場合、Ｒ部ｒ１は、前記第１変形例の上流側整流板部６４Ａと同一の上流側整流板部６４Ｂの上流側を延ばして、下流側に１８０度折り返すようにして形成された折り曲げ部である。Ｒ部ｒ１の外周面は、断面視して半円形状に形成されている。Ｒ部ｒ１は、下面視して支持部材６Ｂの中央部に配置されている。Ｒ部ｒ１は、空気の流れを滑らかにする機能と、強度を向上させる機能と、を果す。
折返板部６５Ｂは、上流側整流板部６４Ｂの左側に、上流側整流板部６４Ｂに沿って下流側方向に平行に配置されている。
【００４８】
このように形成された支持部材６Ｂに対して流れて来る空気は、上流側端部のＲ部ｒ１に衝突して流れる方向が変向され、上流側整流板部６４Ｂ及び基板部６０Ｂに沿って流れる流れ（矢印ｉ）と、折返板部６５Ｂに沿って流れる流れ（矢印ｈ）と、に分散される。
【００４９】
Ｒ部ｒ１で流れる方向が支持部材６Ｂの右側に変向された空気の流れ（矢印ｇ）は、対向板部６３Ｂに対して流入角度が緩やかとなる。このため、対向板部６３Ｂへの空気の衝突量は、小さくなる。Ｒ部ｒ１で流れる方向が支持部材６Ｂの左側に変向された空気の流れ（矢印ｈ）は、支持板部６２Ｂを避けるように、Ｒ部ｒ１から斜め左上方向に向かって流れる流れとなる。
【００５０】
このため、支持部材６Ｂの各面に対して衝突する空気の衝突量は、少なくなる。これにより、支持部材６Ｂは、空気抵抗及び騒音も小さくなり、ファン４を駆動させるためのモータ５の入力電流を削減することができる（図１参照）。
【００５１】
［第３変形例］
図８は、モータを支持する支持部材の第３変形例を示す拡大縦断面図である。
図８に示すように、支持部材６Ｃは、上流側整流板部６４Ｃの上流側端部を対向板部６３Ｃに沿うように折り曲げて形成された上流側対向板部６６Ｃを有するものであってもよい。
【００５２】
この場合、支持部材６Ｃは、上流側整流板部６４Ｃの上流側端部の曲げ部６Ｃａを、気流方向に対して対向する向きに折り曲げて形成された上流側対向板部６６Ｃを有している。上流側対向板部６６Ｃは、気流方向に形成された上流側整流板部６４Ｃに対して、直角に左右方向に向けて形成されている。上流側対向板部６６Ｃは、下面視して支持部材６Ｃの略中央部に配置されている。上流側対向板部６６Ｃの面積（延出量）は、対向板部６３Ｃの面積（延出量）よりも小さく形成されている。対向板部６３Ｃの面積（延出量）は、支持板部６２Ｃの面積（延出量）よりも小さく形成されている。
【００５３】
このように、側面視して略逆Ｓ字状に形成された支持部材６Ｃに対して流れて来る空気は、上流側対向板部６６Ｃに衝突して流れる方向が変向される。変向された空気は、対向板部６３Ｃ及び基板部６０Ｃに向かって流入角度が緩やかになった空気の流れ（矢印ｉ）と、上流側整流板部６４Ｃに沿うように支持板部６２Ｃの左端部側に向かって流れる空気の流れ（矢印ｊ）と、に分散される。また、側面視して略逆Ｓ字状の支持部材６Ｃは、曲げ部６Ｃａ及び稜線が多く形成されているので、全体の強度を向上させることができる。
【００５４】
上流側対向板部６６Ｃで流れる方向が支持部材６Ｃの右側に変向された空気の流れ（矢印ｉ）は、支持板部６２Ｃを避けるようにして下流方向に流れる。上流側対向板部６６Ｃで流れる方向が支持部材６Ｃの左側に変向された空気の流れ（矢印ｊ）は、対向板部６３Ｃに対して流入角度が緩やかとなっており、対向板部６３Ｃの下面のへの空気の衝突量が小さくなる。
【００５５】
このため、支持部材６Ｃの各面に対して衝突する空気の衝突量は、少なくなる。これにより、支持部材６Ｃは、空気抵抗も小さくなり、ファン４を駆動のためのモータ５の入力電流を削減することができる（図１参照）。
【００５６】
［第４変形例］
図９は、モータを支持する支持部材の第４変形例を示す拡大縦断面図である。
図９に示すように、支持部材６Ｄは、支持板部６２Ｄから下流方向に折り曲げられた下流側整流板部６７Ｄを有しているものであってもよい。
【００５７】
この場合、支持部材６Ｄは、支持板部６２Ｄの左端部の曲げ部６Ｄａを、下流方向側に折り曲げて、下流方向に延びる下流側整流板部６７Ｄを有している。下流側整流板部６７Ｄは、気流方向に対して直交する方向（水平方向）に形成された支持板部６２Ｄに対して、直角に上方向に向けて形成されている。下流側整流板部６７Ｄは、平面視して支持部材６Ｄの左端に配置されている。
【００５８】
このように形成された支持部材６Ｄに対して流れて来る空気は、対向板部６３Ｄに衝突して流れる方向が左右（矢印ｋ，ｍ）に変向される。対向板部６３Ｄの右側に流れた空気（矢印ｋ）は、基板部６０Ｄに沿って下流側方向に流れる。対向板部６３Ｄの左側に流れた空気（矢印ｍ）は、支持板部６２Ｄを避けるように下流側に流れ、下流側整流板部６７Ｄの左側面に整流されて下流側整流板部６７Ｄに沿って下流側に流れる。
【００５９】
このため、支持部材６Ｄの各面に対して衝突する空気の衝突量は、少なくなる。支持部材６Ｄは、下流側を整流することによって空気抵抗を小さくすることができるので、ファン４を駆動のためのモータ５の入力電流を削減することができる（図１参照）。
【００６０】
［第５変形例］
図１０は、モータを支持する支持部材の第５変形例を示す拡大縦断面図である。
図１０に示すように、上流側整流板部６４Ｅを有する支持部材６Ｅは、前記第４変形例の支持部材６Ｄ（図９参照）と同様に、支持板部６２Ｅから下流方向に折り曲げられた下流側整流板部６７Ｅを有しているものであってもよい。
【００６１】
この場合、支持部材６Ｅは、第１変形例の支持部材６Ａ（図６参照）と同様に、基板部６０Ｅと、支持板部６２Ｅと、対向板部６３Ｅと、上流側整流板部６４Ｅと、を有すると共に、さらに、支持板部６２Ｅから下流方向に延びる下流側整流板部６７Ｅを有している。また、上下方向に向けて形成されている基板部６０Ｅ、上流側整流板部６４Ｅ、及び、下流側整流板部６７Ｅは、空気が下流方向に真っすぐに流れるようにする整流機能がある。
【００６２】
このように支持部材６Ｅは、支持板部６２Ｅの曲げ部６Ｅａを直角に曲げて下流方向に延びている下流側整流板部６７Ｅを有していることによって、第４変形例と同様に、下流側の空気の流れを整流させて、空気抵抗を小さくすることができる。
【００６３】
［第６変形例］
図１１は、モータを支持する支持部材の第６変形例を示す拡大縦断面図である。
また、図１１に示すように、第２変形例（図７参照）のような折返板部６５Ｆを有する支持部材６Ｆは、第４変形例の支持部材６Ｄ（図９参照）と同様に、支持板部６２Ｆから下流方向に折り曲げられた下流側整流板部６７Ｆを有するものであってもよい。
【００６４】
このように形成すれば支持部材６Ｆは、下流側整流板部６７Ｆを有していることによって、第４変形例と同様に、下流側の空気の流れを整流させて、空気抵抗を小さくすることができる。
【００６５】
［第７変形例］
図１２は、モータを支持する支持部材の第７変形例を示す拡大縦断面図である。
また、図１２に示すように、第３変形例（図８参照）のような上流側対向板部６６Ｇを有する支持部材６Ｇも、第４変形例の支持部材６Ｄ（図９参照）と同様に、支持板部６２Ｇから下流方向に折り曲げられた下流側整流板部６７Ｇを有するものであってもよい。
【００６６】
このように形成すれば支持部材６Ｇは、下流側整流板部６７Ｇを有していることによって、第４変形例と同様に、下流側の空気の流れを整流させて、空気抵抗を小さくすることができる。
【００６７】
［その他の変形例］
本発明の実施形態の一例として、図１に示すように、送風機４０及び吹き出し口を筐体７の上側に配置した上吹きタイプ（ビル用）の室外機１を例に挙げて説明したが、これに限定されるものではない。室外機１は、送風機４０及び吹き出し口を横方向に配置した前吹きタイプ（一般家庭用）であってもよい。つまり、室外機１の設置方向は、適宜変更しても構わない。
例えば、図３に示す室外機１は、支持部材６を上下方向に延在するように配置すると共に、前板７２を下側、後板７５を上側、側板７３，７４を横方向に配置して、全体を横向きにしてもよい。
【００６８】
支持部材６の一例として、図４に示すように、前後方向に真っすぐに延びる水平なものを例に挙げて説明したが、支持部材６は、例えば、側面視して略Ｊ字状や、略く字状に曲がっている部材であっても構わない。
【００６９】
また、支持部材６の一例として、図４及び図５に示すように、基板部６０の高さが均一な帯状に形成されたものを例に挙げて説明したが、これに限定されない。支持部材６は、例えば、基板部６０の前後の両端部側の高さを高くして、モータブラケット５３が載設される中央部位の高さを低くしたものであってもよい。
【００７０】
また、前記実施形態では、縦断面視してコ字形状の支持部材６（図５参照）を例に挙げて説明したが、支持部材６は、縦断面視して略Ｈ形状の押出成形して形成された一部材であってもよい。
この場合、支持部材６は、水平方向に配置された支持板部６２と、支持板部６２よりも短く形成されて水平に配置された対向板部６３と、支持板部６２と対向板部６３との間に架設された基板部６０と、を一体に形成する。
このように支持部材６を縦断面視して略Ｈ形状に形成しても、対向板部６３の面積が支持板部６２の面積よりも小さいため、空気抵抗を小さくすることができる。
【００７１】
また、支持部材６の基板部６０は、前後方向に延びる縦断面視して凹形状の溝部、または、凸部を形成して補強してもよい。
【００７２】
また、図７及び図１１に示す折返板部６５Ｂ，６５Ｆの上下方向の長さは、上流側整流板部６４Ｂ，６４Ｆの上下方向の長さと同一にした場合を例に挙げて説明したが、適宜変更しても構わない。例えば、折返板部６５Ｂ，６５Ｆの上下方向の長さは、上流側整流板部６４Ｂ，６４Ｆの上下方向の長さよりも長くしても、短く形成してもよい。
【００７３】
また、図５〜図１２に示す支持部材６，６Ａ〜６Ｇの基板部６０，６０Ａ〜６０Ｇ、上流側整流板部６４Ａ〜６４Ｇ、折返板部６５Ｂ，６５Ｆ、及び、下流側整流板部６７Ｄ〜６７Ｇは、気流方向（上下方向）に向けて形成した場合を説明したが、気流方向に対して傾斜させて配置してもよい。
【００７４】
また、図５及び図９に示す対向板部６３，６３Ｄ、図８及び図１２に示す上流側対向板部６６Ｃ，６６Ｇは、気流方向に対して斜めに傾けて配置してもよい。また、その対向板部６３，６３Ｄ、及び、上流側対向板部６６Ｃ，６６Ｇは、先端部を下流方向に対して斜めに折り曲げて形成してもよい。
【符号の説明】
【００７５】
１      室外機
２      熱交換器
３      圧縮機
４      ファン
５      モータ
６，６Ａ，６Ｂ，６Ｃ，６Ｄ，６Ｅ，６Ｆ，６Ｇ  支持部材
７      筐体
６０，６０Ａ，６０Ｂ，６０Ｃ，６０Ｄ，６０Ｅ，６０Ｆ，６０Ｇ  基板部
６２，６２Ａ，６２Ｂ，６２Ｃ，６２Ｄ，６２Ｅ，６２Ｆ，６２Ｇ  支持板部
６３，６３Ａ，６３Ｂ，６３Ｃ，６３Ｄ，６３Ｅ，６３Ｆ，６３Ｇ  対向板部
６４Ａ，６４Ｂ，６４Ｃ，６４Ｅ，６４Ｆ，６４Ｇ  上流側整流板部
６５Ｂ，６５Ｆ  折返板部
６６Ｃ，６６Ｇ  上流側対向板部
６７Ｄ，６７Ｅ，６７Ｆ，６７Ｇ  下流側整流板部
Ｌ１，Ｌ３  対向板部の長さ（対向板部の延出量）
Ｌ２    支持板部の長さ（支持板部の延出量）
ｒ１    Ｒ部
【図１】
0006692171.tif 000002
【図２】
0006692171.tif 000003
【図３】
0006692171.tif 000004
【図４】
0006692171.tif 000005
【図５】
0006692171.tif 000006
【図６】
0006692171.tif 000007
【図７】
0006692171.tif 000008
【図８】
0006692171.tif 000009
【図９】
0006692171.tif 000010
【図１０】
0006692171.tif 000011
【図１１】
0006692171.tif 000012
【図１２】
0006692171.tif 000013